(57)【要約】ステアリング支持部材でステアリングコラムをその重心位置で固定するようにした場合に、サイドブラケットの取付けができるようにする。  車室の前部にステアリングコラム（２）を支持するステアリング支持部材（３）が設けられている。このステアリング支持部材（３）が、車幅方向（４）へ延びるステアリング支持部材本体（５）と、このステアリング支持部材本体（５）の両端部を車体に固定するためのサイドブラケット（６）と、を有している。  上記ステアリング支持部材本体（５）が、上記ステアリングコラム（２）の重心位置（２１）の上方に配置されて、ステアリングコラム（２）の重心位置（２１）またはその近傍を固定するものとされている。  少なくとも上記ステアリングコラム（２）に近い側の上記サイドブラケット（６）が、車体に対して車両前後方向（８）に固定するための前後方向固定部（２２）を有するものとされている。
2016152793.tif 000002
【特許請求の範囲】
【請求項１】
車室の前部にステアリングコラムを支持するステアリング支持部材が設けられており、
該ステアリング支持部材が、車幅方向へ延びるステアリング支持部材本体と、このステアリング支持部材本体の両端部を車体に固定するためのサイドブラケットと、を有しているステアリング支持部材構造において、
前記ステアリング支持部材本体が、前記ステアリングコラムの重心位置の上方に配置されて、ステアリングコラムの重心位置またはその近傍を固定するものとされており、
少なくとも前記ステアリングコラムに近い側の前記サイドブラケットが、車体に対して車両前後方向に固定するための前後方向固定部を有していることを特徴とするステアリング支持部材構造。
【請求項２】
請求項１に記載のステアリング支持部材構造であって、
前記前後方向固定部が、車体におけるドア開口のオープニングフランジに当接されているドアフランジ当接固定面を有しており、
該ドアフランジ当接固定面が、前記オープニングフランジに締結具を用いて車両前後方向に固定されていることを特徴とするステアリング支持部材構造。
【請求項３】
請求項１または請求項２に記載のステアリング支持部材構造であって、
前記ステアリングコラムの重心位置から鉛直方向上方に延びる仮想線が、前記ステアリング支持部材本体の断面の範囲内に位置していることを特徴とするステアリング支持部材構造。
【発明の詳細な説明】
【技術分野】
【０００１】
本件は、ステアリング支持部材構造に関するものである。
【背景技術】
【０００２】
自動車などの車両には、車室内の前部にインストルメントパネルが設置されている。このインストルメントパネルの内部には、ステアリングコラムを支持するステアリング支持部材が設けられている。
このステアリング支持部材の構造（ステアリング支持部材構造）は、車幅方向へ延びるステアリング支持部材本体と、このステアリング支持部材本体の両端部を車体に固定するサイドブラケットと、を有するものとされる（例えば、特許文献１参照）。【０００３】
なお、特許文献１のステアリング支持部材構造は、サイドブラケットが、車体におけるドア開口よりも車両前方側の部分における、車内側の縁部周辺に設けられている。また、サイドブラケットは、車体に対して車幅方向に固定されている。
【先行技術文献】
【特許文献】
【０００４】
【特許文献１】特開２０１３−２３０４５号公報
【発明の概要】
【発明が解決しようとする課題】
【０００５】
しかしながら、上記ステアリング支持部材構造には、以下のような問題があった。【０００６】
即ち、ステアリング支持部材にはステアリングコラムの振動による回転モーメントが作用する。そのため、ステアリング支持部材は、高剛性化する必要がある。しかし、ステアリング支持部材を高剛性化すると、ステアリング支持部材の重量が増加するという問題があった。【０００７】
そこで、本件は、上記した問題点を解決することを、主な目的としている。
【課題を解決するための手段】
【０００８】
上記課題を解決するために、本件は、
車室の前部にステアリングコラムを支持するステアリング支持部材が設けられており、
該ステアリング支持部材が、車幅方向へ延びるステアリング支持部材本体と、このステアリング支持部材本体の両端部を車体に固定するためのサイドブラケットと、を有しているステアリング支持部材構造において、
前記ステアリング支持部材本体が、前記ステアリングコラムの重心位置の上方に配置されて、ステアリングコラムの重心位置またはその近傍を固定するものとされており、
少なくとも前記ステアリングコラムに近い側の前記サイドブラケットが、車体に対して車両前後方向に固定するための前後方向固定部を有していることを特徴とする。
【発明の効果】
【０００９】
本件によれば、上記構成によって、ステアリング支持部材でステアリングコラムをその重心位置で固定するようにした場合に、サイドブラケットの取付けができるようになる。
【図面の簡単な説明】
【００１０】
【図１】本実施の形態にかかるインストルメントパネルの縦断面図である。
【図２】図１のステアリング支持部材の斜視図である。
【図３】車室前部のドア開口を示す斜視図である。
【図４】前後方向固定部の平面図である。
【図５】前後方向固定部を設けない場合の構造を示す平面図である。
【発明を実施するための形態】
【００１１】
以下、本実施の形態を、図面を用いて詳細に説明する。
図１〜図５は、この実施の形態を説明するためのものである。
【実施例１】
【００１２】
＜構成＞以下、この実施例の構成について説明する。【００１３】
自動車などの車両には、車室内の前部に、図１に示すような、インストルメントパネル１が設置されている。このインストルメントパネル１の内部には、ステアリングコラム２を支持するステアリング支持部材３が設けられている。
図２に示すように、このステアリング支持部材３の構造（ステアリング支持部材構造）は、車幅方向４へ延びるステアリング支持部材本体５と、このステアリング支持部材本体５の両端部を車体に固定するサイドブラケット６と、を有するものとされる。【００１４】
ここで、図１に示すように、インストルメントパネル１の内部には、計器装置７（メータ）が設置されている。また、ステアリングコラム２は、ほぼ車両前後方向８へ延びるものとされる。【００１５】
また、図２に示すように、この場合、ステアリング支持部材本体５は、車幅方向の全幅に亘って延びるものとされる。ステアリング支持部材本体５は、金属製の丸パイプとされている。ステアリング支持部材本体５には、ステアリング支持部材本体５の中間部を車体の床パネルに対して支持させるためのステー１１や、ステアリング支持部材本体５の中間部を車室の前壁１２（図３参照）に対して支持させるためのポストブラケット１３や、ステアリングコラム２を取付けるためのコラムブラケット１４などが適宜設けられている。【００１６】
図３に示すように、車室の前部は、上記した前壁１２と側壁１５とを有している。また、前壁１２と側壁１５との上方には、フロントウインドウガラスとサイドウインドウガラスとの仕切りとなるピラー１６が設けられている。【００１７】
以上のような基本的な構成に対し、この実施例では、以下のような構成を備えるようにしている。【００１８】
（１）図１（図２も併せて参照）に示すように、上記ステアリング支持部材本体５（ステアリング支持部材３）が、上記ステアリングコラム２の重心位置２１の上方に配置されて、ステアリングコラム２の重心位置２１またはその近傍を（コラムブラケット１４で）固定するものとされる。
そして、図４に示すように、少なくとも上記ステアリングコラム２に近い側の上記サイドブラケット６が、車体に対して車両前後方向８に固定するための前後方向固定部２２を有するものとされる。
ステアリング支持部材本体５がステアリングコラム２の重心位置２１の上方に配置されるとは、ステアリングコラム２の重心位置２１から鉛直方向上方に延びる仮想線を想定した場合に、当該仮想線が、ステアリング支持部材本体５の断面の範囲内に位置することを指している。本実施例では、上記仮想線が、ステアリング支持部材本体５のパイプの径の範囲内に入っていることになる。【００１９】
ここで、ステアリングコラム２の重心位置２１は、ステアリングコラム２の車室内に位置する部分における重心の位置のことである。なお、ステアリングコラム２の車室内に位置する部分は、より詳しくは、ステアリングホイールと、インターミディエイトシャフト（即ち、ステアリングホイールから車両前方へ向かって最初のユニバーサルジョイントまでの間）との間に位置する部分のことであり、ステアリングコラム２にステアリングホイールも含めるものとしている。なお、ステアリングバイワイヤシステムの場合には、インターミディエイトシャフトは使用しないため、車室内に位置する部分のみとなる。【００２０】
（２）上記前後方向固定部２２が、車体におけるドア開口３１のオープニングフランジ３２に当接されるドアフランジ当接固定面３３を有する。
そして、このドアフランジ当接固定面３３が、上記オープニングフランジ３２にボルトなどの締結具３４を用いて車両前後方向８に固定される。【００２１】
ここで、ドア開口３１は、フロントドアを取付けるための開口である。オープニングフランジ３２は、ドア開口３１における、フロントドアの厚み分の縁面のことである。
ドアフランジ当接固定面３３は、オープニングフランジ３２の前側部分（前縁部）に当接可能な、ほほ車幅方向で且つ上下方向へ延びる面とされる。この場合、ドアフランジ当接固定面３３は、ステアリング支持部材本体５の上下の位置にそれぞれネジ孔を形成したものとされる。締結具３４は、車体の外側からドア開口３１を通してＬ字状の電動工具３５などを用いて締結される。【００２２】
＜作用効果＞この実施例によれば、以下のような作用効果を得ることができる。【００２３】
（作用効果１）ステアリング支持部材３をステアリングコラム２の重心位置２１の上方に配置して、ステアリングコラム２をその重心位置２１で固定した。これにより、ステアリングコラム２の振動によってステアリング支持部材３に作用される回転モーメントを小さくすることができる。その結果、ステアリング支持部材３に必要な捩じれや撓みなどに対する剛性が小さくなり、ステアリング支持部材３の軽量化（薄肉化や小径化）を図ることができる。【００２４】
また、ステアリングコラム２をその重心位置２１で固定することにより、ステアリングコラム２の振動によるステアリング支持部材３の撓み方向が、ほぼ上下の一方向となる。よって、車両前後方向８の撓みがほぼなくなるので、乗員にとってもハンドルの振動を感じ難くすることができる。【００２５】
ステアリングコラム２をその重心位置２１で固定する場合、ステアリング支持部材３の位置が既存の位置（図１の仮想線参照）よりも車両後方側へ大きく移動されることになる。その結果、サイドブラケット６の位置が車体におけるドア開口３１の前縁部よりも後方へ突出してしまう。よって、これまでのように車幅方向４からのサイドブラケット６の固定ができなくなる。そして、無理にサイドブラケット６を車幅方向４に固定しようとすると、図５に示すように、ドア開口３１から車両後方へ大きく延びる張出部４１を設けて、張出部４１に取付けなければならなくなるので、現実的ではない。【００２６】
そこで、少なくともステアリングコラム２に近い側のサイドブラケット６に、車体に対して車両前後方向８に固定するための前後方向固定部２２（取付面）を設けた。これにより、ステアリングコラム２をその重心位置２１で固定するためにステアリング支持部材３の位置を車両後方側へ大きく移動したような場合あっても、ステアリング支持部材３を支障なく車体に固定することが可能となる。【００２７】
（作用効果２）サイドブラケット６の前後方向固定部２２がドアフランジ当接固定面３３を有するようにした。これにより、サイドブラケット６のドア開口３１内へのハミ出しを少なくして、サイドブラケット６の前後方向固定部２２を支障なく車両前後方向８に固定することができる。また、サイドブラケット６の前後方向固定部２２を目立ち難くして、見栄えの悪化を防止することも可能となる。
また、サイドブラケット６の前後方向固定部２２は、ドア開口３１のオープニングフランジ３２に固定されることになるが、ステアリング支持部材３をステアリングコラム２の重心位置２１の上方に配置して、ステアリングコラム２をその重心位置２１で固定しているため、ステアリング支持部材３に作用する回転モーメントが小さくなっており、その結果、ドア開口３１のオープニングフランジ３２側の取付部を剛性アップすることなく、オープニングフランジ３２に取付部を設けることができる。【００２８】
以上、実施例を図面により詳述してきたが、実施例は例示にしか過ぎないものである。よって、実施例の構成にのみ限定されるものではなく、要旨を逸脱しない範囲の設計の変更等があっても本件に含まれることは勿論である。また、例えば、各実施例に複数の構成が含まれている場合には、特に記載がなくとも、これらの構成の可能な組合せが含まれることは勿論である。また、複数の実施例や変形例が本件のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００２９】
２    ステアリングコラム
３    ステアリング支持部材
４    車幅方向
５    ステアリング支持部材本体
６    サイドブラケット
８    車両前後方向
２１  重心位置
２２  前後方向固定部
３１  ドア開口
３２  オープニングフランジ
３３  ドアフランジ当接固定面
３４  締結具
【関連出願の相互参照】
【００３０】
本出願は、２０１５年３月２６日に、日本国特許庁に出願された特願２０１５−０６５０４２に基づいて優先権を主張し、その全ての開示は、完全に本明細書で参照により組み込まれる。
【図１】
2016152793.tif 000003
【図２】
2016152793.tif 000004
【図３】
2016152793.tif 000005
【図４】
2016152793.tif 000006
【図５】
2016152793.tif 000007
【国際調査報告】
2016152793.tif 000008
2016152793.tif 000009